(57)【要約】【課題】蓋を折り曲げて内容物を折り曲げ開口部から抽出する分配包装体であって、蓋折り曲げと同時に内容物が飛び出ることがないようにした噴出抑止機能付分配包装体を提供する。【解決手段】表面の中央部にハーフカット部３を設けた折り曲げ線４を有する硬質材の蓋１の裏面に周縁部を固着され、折り曲げ線４の両側にポケット部６，６を形成する可撓性部材の容器体５とからなり、それぞれのポケット部６，６は蓋１の折り曲げ線４の下方に位置する連通部７に連通してある包装体Ｑにおいて、前記蓋１の裏面と連通部７の間隙はポケット部６，６への付加圧力によって破裂又は破断容易な薄膜シート材８で遮蔽してあることを特徴とするものである。【選択図】  図１
2004182338.tif 000002
【特許請求の範囲】
【請求項１】
表面の中央部にハーフカット部を設けた折り曲げ線を有する硬質材の蓋と、その蓋の裏面に周縁部を固着され折り曲げ線の両側にポケット部を形成する可撓性部材の容器体とからなり、それぞれのポケット部は蓋の折り曲げ線の下方に位置する連通部に連通してある包装体において、前記蓋の裏面と連通部の間隙はポケット部への付加圧力によって破裂または破断容易な薄膜シート材で遮蔽してあることを特徴とする噴出抑止機能付分配包装体。
【請求項２】
薄膜シート材は厚さ約１０乃至１５μｍのポリエチレンまたはポリプロピレンである請求項１記載の噴出抑止機能付分配包装体。
【請求項３】
薄膜シート材には複数の切れ目線又は微細孔を成形してある請求項１及び２記載の噴出抑止機能付分配包装体。
【発明の詳細な説明】
【０００１】
【発明の属する技術分野】
本発明は、調味料や飲料等の飲食品、化粧品や薬品等で液状、ペースト状、粉状、顆粒状を呈した物を内容物として包装した分配包装体に関し、さらに詳しくは、これ等内容物の一種以上のものを各別のポケット部に収容してある分配包装体であって、包装体に収納してある間は内容物同士が互いに混ざり合うことが可能又は不能としてある包装体を片手の指でつまんで折り曲げて折り曲げによる開口部から抽出する際に、その内容物が折り曲げ操作と同時には開口部から飛び出さずにポケット部同士が衝接した時からその付加圧力によってはじめて飛び出るような構造とした噴出抑止機能付分配包装体に関する。
【０００２】
【従来の技術】
従来、指でつまんで折り曲げ操作することにより、内容物を簡単に抽出できる小型の分配包装体が提案され、市場に供されている。また、このような分配包装体については、例えば、特許文献１や、特許文献２等に開示されている。
すなわち、これら分配包装体はいずれも、比較的堅固で平坦なシート状の蓋の裏面に可撓性を有する容器体の周縁部を固着してポケット部を形成し、このポケット部の中に内容物を封入すると共に、蓋の表面中央を通る軸線を、該蓋を折り曲げ易いようにするために蓋材の厚さの半分程の切れ目（ハーフカット）等を施した折り曲げ線として形成し、さらには内容物の抽出を容易にするために該軸線の中心にはピラッミッド状或いは円錐台状等の突起を設けた構造としてある。
【０００３】
そして使用に際しては、該包装体を手の指でつまみ、その蓋の上記軸線を中心として該ポケット部の両側を圧するように蓋をＶ字型に折り曲げし、この蓋の折り曲げ線上や線上に設けた突起等を破壊することにより生ずる開口部から内容物を抽出するものである。
また、特許文献１や、特許文献２に記載された分配包装体はいずれも蓋の折り曲げ線の下方に「連通部」が設けてあり、各ポケット部はこの連通部と連通する構造とされている。
【特許文献１】
特開昭６３−１６２４６０号公報
【特許文献２】
実公平３−１４１９号公報
【０００４】
【発明が解決しようとする課題】
しかしながら、これ等従来の分配包装体は図４の断面説明図に示すように蓋の折れ曲げ線４の下方の連通部７内へポケット部６，６の中の内容物Ａが容易に移動流入したり、滞留することが可能な構造であるため、蓋１の折り曲げによって開口部が生ずるとこれと殆ど同時に内容物が開口部から抽出（飛び出）される。この際、折り曲げ操作を誤って開口部側を顔面の方向に向けて折り曲げたり、不注意な取り扱い操作をすることによって、顔や衣服を内容物の付着で汚すことがある。このことは、取り扱い者が老人や子供等であったり、内容物が例えば醤油やソース、ドレッシング等の粘度の低い液体である場合に多く発生する問題として指摘されている。
【０００５】
本発明の目的は、このような問題点を解消し、使用に際して、蓋を折り曲げて開口部が形成された時、まれに内容物の垂れ落ちが生ずるとしても、いきなり内容物が飛び出すことがなく、ポケット部同士を接触させることによって、内容物に圧力が加えられてから内容物が勢いよく抽出される構造とした噴出抑止機能付の分配包装体を提供しようとするものである。
【０００６】
【課題を解決するための手段】
上記課題を解決する手段として本発明噴出抑止機能付分配包装体は、表面の中央部にハーフカット部を設けた折り曲げ線を有する硬質材の蓋と、その蓋の裏面に周縁部を固着され折り曲げ線の両側にポケット部を形成する可撓性部材の容器体とからなり、それぞれのポケット部は蓋の折り曲げ線の下方に位置する連通部に連通してある包装体において、前記蓋の裏面と連通部の間隙はポケット部への付加圧力によって破裂または破断容易な薄膜シート材で遮蔽してあることを特徴とする。
【０００７】
このような構造とすることにより、ポケット内の内容物は蓋の折り曲げと同時に噴出することがなくなり、ポケット同士の衝接による圧力が付加された時、はじめて勢いよく包装体から抽出できるものとなるので、誤った折り曲げ操作によっても顔や衣服を内容物の付着で汚すことをなくすことができるのでよい。
この際、蓋の裏面と連通部を遮蔽する薄膜シート材は厚さ約１０乃至１５μｍのポリエチレンまたはポリプロピレン製のシート材であればよく、また薄膜シート材の付加圧力による破裂、破断を一層容易にするためにシート材にあらかじめ細孔や切れ目線等を施しておくとさらによい。
なお、この場合、シート材の細孔や切傷（切れ目線）等を通して内容物が蓋の裏面側へ僅かに漏れて滲み出ることが生じても、蓋の折り曲げ時にこの滲み出た内容物が勢いよく飛び出すことはなく、内容物の噴出を抑止することができる。
【０００８】
【発明の実施の形態】
以下、本発明を図面に基づき実施例をもって説明する。
図１は本発明に係わる噴出抑止機能付分配包装体の一実施例Ｑの外観を示す斜視図であり、図２は図１のＸ−Ｘ線断面図である。
また、図３の（イ）と（ロ）は各種薄膜シート材で遮蔽する際の実施例を示す斜視図であり、図４は従来の薄膜シート材の無い分配包装体の側面断面図である。
図１及び図２において、噴出抑止機能付分配包装体（以下たんに「包装体」ともいう）Ｑの蓋１は合成樹脂（例えば、ポリエチレン、ポリスチレン、ポリエチレンテレフタレート、或いはポリスチレン共重合体）等の折り曲げができる程度の硬質材で製され、その厚さを３２０μｍ程としてある。
【０００９】
この蓋１の表面中央の折り曲げ線（軸線ともいう）上にはハーフカット３が施されると共にハーフカット３を施された突起１ａ，１ａが形成されている。これにより蓋１の折り曲げ時にハーフカット３を施した折り曲げ線及びハーフカット３を施した突起１ａ，１ａが破断して開口部が生じ易い構造とされている。
図中の符号５はその周辺部を蓋１の裏面に固着させて固着域２としたポリエチレン或いはアルミ箔等の可撓製のあるシート材からなる容器体であって、蓋１の折り曲げ線４の両側にポケット部６，６を形成した構造としてある。また、このポケット部６，６はその各々を折り曲げ線４の下方の連通部７に連通した構造に形成されている。
なお、本実施例においてはポケット部６，６の中には内容物Ａとしての液状ドレッシングを収納してある。
また、図３の符号９は微細孔であり、符号１０は切れ目線である。
【００１０】
以下、本発明噴出抑止機能付分配包装体の作用についてその使用態様でもって説明する。
包装体Ｑは以上の構成からなるので、ポケット部６，６に収容してある内容物Ａは蓋１の裏面と容器内５の上面とを全て固着域２としてあることで完全密封状態とされている。従って、内容物Ａを抽出するに際しては、まず、内容物が下方に抽出されるように包装体Ｐの蓋１の表面を下方に向ける。次に蓋１の両端を指でつまみ、折り曲げ線４を介してその両側に形成されたポケット部６，６を互いに引き寄せるようにしてＶ字状に折り曲げる。
【００１１】
この折り曲げ操作により、まず折り曲げ線上に形成されてハーフカットを施してある突起１ａの先端が破断開口される。この段階では開口部とポケット６，６は薄膜シート材８で遮蔽されているので、ポケット６，６内の内容物Ａは薄膜シート材８で流出飛散を阻止され、開口部から包装体Ｑの外側へ抽出されることはない。引き続き折り曲げ操作を進めることによって、ポケット部６，６同士が接近乃至衝接し、ポケット６，６内の内容物Ａと薄膜シート材８に加わる圧力が大きくなるにつれ、ついには薄膜シート材８が破断する。
これと同時に内容物Ａはその破断面を通り、前記開口部から包装体の外方へ勢いよく抽出される。この様に、内容物Ａは包装体に開口部が形成されても即抽出されずに一旦抑止された状態となり、その後の更なる包装体への折り曲げ圧力によってはじめて勢いよく噴出（抽出）される。
【００１２】
【発明の効果】
以上詳述したように、本発明噴出抑止機能付包装体は、蓋の裏面に付加圧力によって破裂又は破断容易な薄膜シート材を貼着し、蓋の裏面と連通部を遮蔽してあるので蓋折り曲げと同時に内容物の噴出を一旦抑止することができる。
従って、不注意な抽出操作による内容物の飛び散りで顔や衣服が汚損することを未然に防ぐことができる。
【図面の簡単な説明】
【図１】本発明に係わる噴出抑止機能付分配包装体の一実施例の外観を示す斜視図。
【図２】図１のＸ−Ｘ線断面図。
【図３】（イ）〜（ロ）は各種薄膜シート材使用形態を示す斜視説明図。
【図４】薄膜シート材を使用していない従来の分配包装体の側面断面図。
【符号の説明】
Ｑ    噴出抑止機能付分配包装体
１    蓋
１ａ  突起
２    固着域
３    ハーフカット
４    折り曲げ線
５    容器体
６    ポケット部
７    連通部
８    薄膜シート
９    微細孔
１０  切れ目線
Ａ    内容物
【図１】
2004182338.tif 000003
【図２】
2004182338.tif 000004
【図３】
2004182338.tif 000005
【図４】
2004182338.tif 000006